【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
動画像を構成する画像データを処理する画像処理装置において、
動画像を構成する各フレームの画素が、空間方向及び時間方向の両方向に五の目格子状に配置されるように、各フレーム毎に画素を間引くことにより間引き画像データを生成する間引き手段と、
上記間引き画像データを出力する出力手段と
を備えることを特徴とする画像処理装置。
【請求項２】
上記間引き画像データを構成する各画素に対して、その画素のレベル方向のビット間引きを施すことにより修正間引き画像データを生成するビット間引き手段をさらに備え、
上記出力手段は、上記修正間引き画像データを出力する
ことを特徴とする請求項１に記載の画像処理装置。
【請求項３】
動画像を構成する画像データを処理する画像処理方法において、
動画像を構成する各フレームの画素が、空間方向及び時間方向の両方向に五の目格子状に配置されるように、各フレーム毎に画素を間引くことにより間引き画像データを生成し、
上記間引き画像データを出力する
ことを特徴とする画像処理方法。
【請求項４】
動画像を構成する画像データの画素を間引くことにより生成されたデータを伝送する伝送方法において、
動画像を構成する各フレームの画素に対して空間方向及び時間方向の両方向に五の目格子状のフォーマットとなるように、各フレーム毎に画素を間引くことにより間引き画像データを生成する
ことにより得られる上記間引き画像データを伝送する
ことを特徴とする伝送方法。
【請求項５】
動画像を構成する画像データの画素を間引くことにより生成されたデータを伝送する伝送媒体において、
動画像を構成する各フレームの画素が、空間方向及び時間方向の両方向に五の目格子状に配置されるように、各フレーム毎に画素を間引くことにより生成された間引き画像データを伝送する
ことを特徴とする伝送媒体。
【請求項６】
動画像を構成する画像データの画素を間引くことによって生成された間引きデータを処理する画像処理装置において、
動画像を構成する各フレームの画素が、空間方向及び時間方向の両方向に五の目格子状に配置されるように、各フレーム毎に画素を間引くことにより生成された間引き画像データを受信する受信手段と、
上記間引き画像データを用いて、間引かれた画素を生成し、元の画像データを復元する復元手段と
を備えることを特徴とする画像処理装置。
【請求項７】
上記復元手段は、
上記画像データから間引かれた画素に対して、その間引かれた画素の性質を表す所定のクラスを決定する決定手段と、
上記決定手段が出力するクラスに応じて上記間引かれた画素を予測し、その画素データを発生する発生手段と
を有する
ことを特徴とする請求項６に記載の画像処理装置。
【請求項８】
上記発生手段は、
学習用の画像データを用いて上記クラス毎に予め学習を行うことによって生成された予測データを上記クラス毎に記憶している記憶手段を有し、
上記決定手段が出力するクラスに対応する予測データを、上記記憶手段から読み出し、その読み出された予測データに基いて上記間引かれた画素の画素データを発生する
ことを特徴とする請求項７に記載の画像処理装置。
【請求項９】
上記記憶手段は、上記予測データとして、クラス毎の予測係数のセットを記憶しており、
上記発生手段は、上記決定手段が出力するクラスに対応する予測係数のセットを読み出し、その読み出された予測のセットと、上記間引かれた画素の周辺に位置する、上記間引き画像データの複数の画素とに基いて、上記間引かれた画素の画素データを算出する演算手段をさらに有する
ことを特徴とする請求項８に記載の画像処理装置。
【請求項１０】
上記記憶手段は、上記予測データとして、クラス毎の画素値を記憶しており、
上記発生手段は、上記決定手段が出力するクラスに対応する画素値を読み出し、その画素値を、上記間引かれた画素の画素データとして出力する
ことを特徴とする請求項８に記載の画像処理装置。
【請求項１１】
上記決定手段は、上記間引かれた画素に対して、空間方向若しくは時間方向のうちのいずれか一方、または両方に位置する上記間引き画像データの画素を用いてクラスを決定する
ことを特徴とする請求項７に記載の画像処理装置。
【請求項１２】
動画像を構成する画像データの画素を間引くことによって生成された間引きデータを処理する画像処理装置において、
動画像を構成する各フレームの画素が、空間方向及び時間方向の両方向に五の目格子状に配置されるように、各フレーム毎に画素を間引くことにより生成された間引き画像データの各画素を、さらにその画素のレベル方向のビット間引きすることより得られた修正間引き画像データを受信する受信手段と、
上記修正間引き画像データの各画素のレベルを元の画素値に戻すことにより上記間引き画像データを生成し、上記間引き画像データを用いて、間引かれた画素を生成し、元の画像データを復元する復元手段と
を備えることを特徴とする画像処理装置。
【請求項１３】
上記復元手段は、
上記修正間引き画像データの画素に対して、その画素の性質を表す所定の第１のクラスを決定する第１の決定手段と、
上記第１の決定手段が出力する第１のクラスに応じて上記間引き画像データの画素を予測し、その画素データを発生する第１の発生手段と
上記第１の発生手段によって発生された画素データからなる上記間引き画像データから間引かれた画素に対して、その間引かれた画素の性質を表す所定の第２のクラスを決定する第２の決定手段と、
上記第２の決定手段が出力する第２のクラスに応じて上記間引かれた画素を予測し、その画素データを発生する第２の発生手段と
を有する
ことを特徴とする請求項１２に記載の画像処理装置。
【請求項１４】
上記第１の発生手段は、
学習用の画像データを用いて上記第１のクラス毎に予め学習を行うことによって生成された予測データを上記第１のクラス毎に記憶している記憶手段を有し、  上記第１の決定手段が出力する第１のクラスに対応する予測データを、上記記憶手段から読み出し、その読み出された予測データに基いて上記間引き画像データを発生する
ことを特徴とする請求項１３に記載の画像処理装置。
【請求項１５】
上記第２の発生手段は、
学習用の画像データを用いて上記第２のクラス毎に予め学習を行うことによって生成された予測データを上記第２のクラス毎に記憶している記憶手段を有し、  上記第２の決定手段が出力する第２のクラスに対応する予測データを読み出し、その読み出された予測データに基いて上記間引かれた画素の画素データを発生する
ことを特徴とする請求項１３に記載の画像処理装置。
【請求項１６】
上記記憶手段は、上記予測データとして、上記第１のクラス毎の予測係数のセットを記憶しており、
上記第１の発生手段は、上記第１の決定手段が出力する第１のクラスに対応する予測係数のセットを読み出し、その読み出された予測のセットと、上記修正間引き画像データの、注目している画素の周辺に位置する複数の画素とに基いて上記間引き画像データを算出する演算手段をさらに有する
ことを特徴とする請求項１４に記載の画像処理装置。
【請求項１７】
上記記憶手段は、上記予測データとして、上記第２のクラス毎の予測係数のセットを記憶しており、
上記第２の発生手段は、上記第２の決定手段が出力する第２のクラスに対応する予測係数のセットを読み出し、その読み出された予測のセットと、上記間引かれた画素の周辺に位置する、上記間引き画像データの複数の画素とに基いて、上記間引かれた画素の画素データを算出する演算手段をさらに有する
ことを特徴とする請求項１５に記載の画像処理装置。
【請求項１８】
上記記憶手段は、上記予測データとして、第１のクラス毎の画素値を記憶しており、
上記第１の発生手段は、上記第１の決定手段が出力する第１のクラスに対応する画素値を読み出し、その画素値を、上記間引き画像データの画素の画素データとして出力する
ことを特徴とする請求項１４に記載の画像処理装置。
【請求項１９】
上記記憶手段は、上記予測データとして、第２のクラス毎の画素値を記憶しており、
上記第２の発生手段は、上記第２の決定手段が出力する第２のクラスに対応する画素値を読み出し、その画素値を、上記間引かれた画素の画素データとして出力する
ことを特徴とする請求項１５に記載の画像処理装置。
【請求項２０】
上記第１の決定手段は、上記修正間引き画像データの、注目している画素に対して、空間方向若しくは時間方向のうちのいずれか一方、または両方に位置する上記修正間引き画像データの画素を用いて上記第１のクラスを決定する
ことを特徴とする請求項１３に記載の画像処理装置。
【請求項２１】
上記第２の決定手段は、上記間引かれた画素に対して、空間方向若しくは時間方向のうちのいずれか一方、または両方に位置する上記間引き画像データの画素を用いて上記第２のクラスを決定する
ことを特徴とする請求項１３に記載の画像処理装置。
【手続補正２】
【補正対象書類名】明細書
【補正対象項目名】００１０
【補正方法】変更
【補正の内容】
【００１０】
請求項４に記載の伝送媒体は、動画像を構成する各フレームの画素に対して空間方向及び時間方向の両方向に五の目格子状に配置されるように、各フレーム毎に画素を間引くことにより生成された間引き画像データを伝送することを特徴とする。
【手続補正３】
【補正対象書類名】明細書
【補正対象項目名】００１１
【補正方法】変更
【補正の内容】
【００１１】
請求項５に記載の伝送方法は、動画像を構成する各フレームの画素が、空間方向及び時間方向の両方向に五の目格子状に配置されるように、各フレーム毎に画素を間引くことにより生成された間引き画像データを伝送することを特徴とする。
【手続補正４】
【補正対象書類名】明細書
【補正対象項目名】００１２
【補正方法】変更
【補正の内容】
【００１２】
請求項６に記載の画像処理装置は、動画像を構成する各フレームの画素が、空間方向及び時間方向の両方向に五の目格子状に配置されるように、各フレーム毎に画素を間引くことにより生成された間引き画像データを用いて、間引かれた画素を生成し、元の画像データを復元する復元手段を備えることを特徴とする。
【手続補正５】
【補正対象書類名】明細書
【補正対象項目名】００１３
【補正方法】変更
【補正の内容】
【００１３】
請求項１２に記載の画像処理装置は、動画像を構成する各フレームの画素が、空間方向及び時間方向の両方向に五の目格子状に配置されるように、各フレーム毎に画素を間引くことにより生成された間引き画像データの各画素を、さらにその画素のレベル方向のビット間引きすることより得られた修正間引き画像データの各画素のレベルを元の画素値に戻すことにより間引き画像データを生成し、その間引き画像データを用いて、間引かれた画素を生成し、元の画像データを復元する復元手段を備えることを特徴とする。
【手続補正６】
【補正対象書類名】明細書
【補正対象項目名】００１６
【補正方法】変更
【補正の内容】
【００１６】
請求項４に記載の伝送媒体においては、動画像を構成する各フレームの画素に対して空間方向及び時間方向の両方向に五の目格子状に配置されるように、各フレーム毎に画素を間引くことにより生成された間引き画像データを伝送するようになされている。
【手続補正７】
【補正対象書類名】明細書
【補正対象項目名】００１７
【補正方法】変更
【補正の内容】
【００１７】
請求項５に記載の伝送方法においては、動画像を構成する各フレームの画素が、空間方向及び時間方向の両方向に五の目格子状に配置されるように、各フレーム毎に画素を間引くことにより生成された間引き画像データを伝送するようになされている。
【手続補正８】
【補正対象書類名】明細書
【補正対象項目名】００１８
【補正方法】変更
【補正の内容】
【００１８】
請求項６に記載の画像処理装置においては、復元手段が、動画像を構成する各フレームの画素が、空間方向及び時間方向の両方向に五の目格子状に配置されるように、各フレーム毎に画素を間引くことにより生成された間引き画像データを用いて、間引かれた画素を生成し、元の画像データを復元するようになされている。
【手続補正９】
【補正対象書類名】明細書
【補正対象項目名】００１９
【補正方法】変更
【補正の内容】
【００１９】
請求項１２に記載の画像処理装置においては、復元手段が、動画像を構成する各フレームの画素が、空間方向及び時間方向の両方向に五の目格子状に配置されるように、各フレーム毎に画素を間引くことにより生成された間引き画像データの各画素を、さらにその画素のレベル方向のビット間引きすることより得られた修正間引き画像データの各画素のレベルを元の画素値に戻すことにより間引き画像データを生成し、その間引き画像データを用いて、間引かれた画素を生成し、元の画像データを復元するようになされている。
【手続補正１０】
【補正対象書類名】明細書
【補正対象項目名】００２３
【補正方法】変更
【補正の内容】
【００２３】
請求項６に記載の画像処理装置は、動画像を構成する画像データの画素を間引くことによって生成された間引きデータを処理する画像処理装置において、動画像を構成する各フレームの画素が、空間方向及び時間方向の両方向に五の目格子状に配置されるように、各フレーム毎に画素を間引くことにより生成された間引き画像データを受信する受信手段（例えば、図１に示す受信処理回路８など）と、間引き画像データを用いて、間引かれた画素を生成し、元の画像データを復元する復元手段（例えば、図１に示す合成回路１０、ブロック化回路１１、クラスタリング回路１２、メモリ１３、および補間データ作成回路１４など）とを備えることを特徴とする。
【手続補正１１】
【補正対象書類名】明細書
【補正対象項目名】００２４
【補正方法】変更
【補正の内容】
【００２４】
請求項７に記載の画像処理装置は、復元手段が、画像データから間引かれた画素に対して、その間引かれた画素の性質を表す所定のクラスを決定する決定手段（例えば、図１に示すクラスタリング回路１２など）と、決定手段が出力するクラスに応じて間引かれた画素を予測し、その画素データを発生する発生手段（例えば、図１に示すメモリ１３および補間データ作成回路１４など）とを有することを特徴とする。
【手続補正１２】
【補正対象書類名】明細書
【補正対象項目名】００２５
【補正方法】変更
【補正の内容】
【００２５】
請求項８に記載の画像処理装置は、発生手段が、学習用の画像データを用いてクラス毎に予め学習を行うことによって生成された所定の予測データをクラス毎に記憶している記憶手段（例えば、図１に示すメモリ１３など）を有し、決定手段が出力するクラスに対応する予測データを、記憶手段から読み出し、その読み出された予測データに基いて間引かれた画素の画素データを発生することを特徴とする。
【手続補正１３】
【補正対象書類名】明細書
【補正対象項目名】００２６
【補正方法】変更
【補正の内容】
【００２６】
請求項９に記載の画像処理装置は、記憶手段が、予測データとして、クラス毎の所定の予測係数のセットを記憶しており、発生手段が、決定手段が出力するクラスに対応する予測係数のセットを読み出し、その読み出された予測係数のセットと、間引かれた画素の周辺に位置する、間引き画像データの複数の画素とに基いて、間引かれた画素の画素データを算出する演算手段（例えば、図１に示す補間データ作成回路１４など）をさらに有することを特徴とする。
【手続補正１４】
【補正対象書類名】明細書
【補正対象項目名】００２７
【補正方法】変更
【補正の内容】
【００２７】
請求項１２に記載の画像処理装置は、動画像を構成する画像データの画素を間引くことによって生成された間引きデータを処理する画像処理装置において、動画像を構成する各フレームの画素が、空間方向及び時間方向の両方向に五の目格子状に配置されるように、各フレーム毎に画素を間引くことにより生成された間引き画像データの各画素を、さらにその画素のレベル方向のビット間引きすることより得られた修正間引き画像データを受信する受信手段（例えば、図１４に示す受信処理回路８など）と、修正間引き画像データの各画素のレベルを元の画素値に戻すことにより間引き画像データを生成し、その間引き画像データを用いて、間引かれた画素を生成し、元の画像データを復元する復元手段（例えば、図１４に示すブロック化回路５２、クラスタリング回路５３、メモリ５４、画素データ作成回路５５、ブロック化回路１１、クラスタリング回路１２、メモリ１３、補間データ作成回路１４、および合成回路１０など）とを備えることを特徴とする。
【手続補正１５】
【補正対象書類名】明細書
【補正対象項目名】００２８
【補正方法】変更
【補正の内容】
【００２８】
請求項１３に記載の画像処理装置は、復元手段が、修正間引き画像データの画素に対して、その画素の性質を表す所定の第１のクラスを決定する第１の決定手段（例えば、図１４に示すクラスタリング回路５３など）と、第１の決定手段が出力する第１のクラスに応じて間引き画像データの画素を予測し、その画素データを発生する第１の発生手段（例えば、図１４に示すメモリ５４および画素データ作成回路５５など）と、第１の発生手段によって発生された画素データからなる間引き画像データから間引かれた画素に対して、その間引かれた画素の性質を表す所定の第２のクラスを決定する第２の決定手段（例えば、図１４に示すクラスタリング回路１２など）と、第２の決定手段が出力する第２のクラスに応じて間引かれた画素を予測し、その画素データを発生する第２の発生手段（例えば、図１４に示すメモリ１３および補間データ作成回路１４など）とを有することを特徴とする。
【手続補正１６】
【補正対象書類名】明細書
【補正対象項目名】００２９
【補正方法】変更
【補正の内容】
【００２９】
請求項１４に記載の画像処理装置は、第１の発生手段が、学習用の画像データを用いて第１のクラス毎に予め学習を行うことによって生成された所定の予測データを第１のクラス毎に記憶している記憶手段（例えば、図１４に示すメモリ５４など）を有し、第１の決定手段が出力する第１のクラスに対応する予測データを、記憶手段から読み出し、その読み出された予測データに基いて、間引き画像データを発生することを特徴とする。
【手続補正１７】
【補正対象書類名】明細書
【補正対象項目名】００３０
【補正方法】変更
【補正の内容】
【００３０】
請求項１５に記載の画像処理装置は、第２の発生手段が、学習用の画像データを用いて第２のクラス毎に予め学習を行うことによって生成された所定の予測データを第２のクラス毎に記憶している記憶手段（例えば、図１４に示すメモリ１３など）を有し、第２の決定手段が出力する第２のクラスに対応する予測データを読み出し、その読み出された予測データに基いて、間引かれた画素の画素データを発生することを特徴とする。
【手続補正１８】
【補正対象書類名】明細書
【補正対象項目名】００３１
【補正方法】変更
【補正の内容】
【００３１】
請求項１６に記載の画像処理装置は、記憶手段が、予測データとして、第１のクラス毎の所定の予測係数のセットを記憶しており、第１の発生手段が、第１の決定手段が出力する第１のクラスに対応する予測係数のセットを読み出し、その読み出された予測係数のセットと、修正間引き画像データの、注目している画素の周辺に位置する複数の画素とに基いて、間引き画像データを算出する演算手段（例えば、図１４に示す画素データ作成回路５５など）をさらに有することを特徴とする。
【手続補正１９】
【補正対象書類名】明細書
【補正対象項目名】００３２
【補正方法】変更
【補正の内容】
【００３２】
請求項１７に記載の画像処理装置は、記憶手段が、予測データとして、第２のクラス毎の所定の予測係数のセットを記憶しており、第２の発生手段が、第２の決定手段が出力する第２のクラスに対応する予測係数のセットを読み出し、その読み出された予測のセットと、間引かれた画素の周辺に位置する、間引き画像データの複数の画素とに基いて、間引かれた画素の画素データを算出する演算手段（例えば、図１４に示す補間データ作成回路１４など）をさらに有することを特徴とする。
【手続補正２０】
【補正対象書類名】明細書
【補正対象項目名】０１５２
【補正方法】変更
【補正の内容】
【０１５２】
請求項４に記載の伝送媒体および請求項７に記載の伝送方法によれば、動画像を構成する各フレームの画素が、空間方向及び時間方向の両方向に五の目格子状に配置されるように、各フレーム毎に画素を間引くことにより生成された間引き画像データが伝送される。従って、その間引き画像データから、画質の劣化の少ない画像を得ることが可能となる。
【手続補正２１】
【補正対象書類名】明細書
【補正対象項目名】０１５３
【補正方法】変更
【補正の内容】
【０１５３】
請求項６に記載の画像処理装置によれば、動画像を構成する各フレームの画素が、空間方向及び時間方向の両方向に五の目格子状に配置されるように、各フレーム毎に画素を間引くことにより生成された間引き画像データを用いて、間引かれた画素が生成され、元の画像データが復元される。従って、画質の劣化の少ない画像を得ることが可能となる。
【手続補正２２】
【補正対象書類名】明細書
【補正対象項目名】０１５４
【補正方法】変更
【補正の内容】
【０１５４】
請求項１２に記載の画像処理装置によれば、動画像を構成する各フレームの画素が、空間方向及び時間方向の両方向に五の目格子状に配置されるように、各フレーム毎に画素を間引くことにより生成された間引き画像データの各画素を、さらにその画素のレベル方向のビット間引きすることより得られた修正間引き画像データの各画素のレベルを元の画素値に戻すことにより間引き画像データが生成される。さらに、その間引き画像データを用いて、間引かれた画素が生成され、元の画像データが復元される。従って、画質の劣化の少ない画像を得ることが可能となる。